(57)【要約】【課題】  人体からの寝汗等の湿気を寝具外に放出し、快適な寝床内環境とする。【解決手段】  緩衝材６と、この緩衝材６の上部に設けた空気流通層を構成する空間材４と、この空間材４の上部に設けた吸湿層を構成する吸湿材３と、これら全体を覆う表布２と、この表布２の一方の側面に設けた空気取り入れ口７と他方の側面に設けた排気口１２と、前記空間材４に空気を流通させるための吸気ユニット８とを備え、前記表布２を浸透して吸湿材３にて吸湿する湿気を、吸気ユニット８で空気取り入れ口７より吸気し空間材４を流通して排気口１２より排気する空気により放湿するようにした。【選択図】  図１
2005270262.tif 000002
【特許請求の範囲】
【請求項１】
緩衝材（６）と、この緩衝材（６）の上部に設けた空気流通層を構成する空間材（４）と、この空間材（４）の上部に設けた吸湿層を構成する吸湿材（３）と、これら全体を覆う表布（２）と、この表布（２）の一方の側面に設けた空気取り入れ口（７）と他方の側面に設けた排気口（１２）と、前記空間材（４）に空気を流通させるための吸気ユニット（８）とを備え、前記表布（２）を浸透して吸湿材（３）にて吸湿する湿気を、吸気ユニット（８）で空気取り入れ口（７）より吸気し空間材（４）を流通して排気口（１２）より排気する空気により放湿するようにしたことを特徴とする寝具。
【発明の詳細な説明】
【技術分野】
【０００１】
本発明は、緩衝材を内在し、人体を支える一般的な寝具、あるいは寝具内部に温熱電位ユニットを具備する電気治療器のような電気寝具等の寝具の除湿に関するものである。
【背景技術】
【０００２】
従来のこの種の寝具は、図３、図４に示すような構造のものが知られている。２３は本体であり、マットレス状あるいはふとん状のもので、以下に示す部材構成から成り立っている。すなわち、人体に接触する表布１５と、その表布１５の下部に設けた空間材１６と、その空間材１６の下部に設けた緩衝材１７と、その緩衝材１７の下部に設けた裏布１９と、さらに裏布１９の下部に設けた緩衝材Ｂ２０と裏表布２１から構成されている。
【０００３】
また、前記表布１５の表面には該表布１５の上面の空気を本体２３内の空間材１６に吸気する大きい開口部２２と、小さい開口部２２ａとがあり、各々の開口部２２、２２ａは、開口部の吸気量ならびに本体２３内の通気量に差を持たせたものである。
【０００４】
また、前記本体２３の表布１５の開口部２２、２２ａ以外の表布１５自身を含む外周部を気密とし、表布１５の表面に設けた開口部２２、２２ａと、その開口部２２、２２ａの下部に設けた空間材１６を介して連通する如く、本体２３の端部に排気口２４を有する吸気ユニット２５を設けた構成としてある。
【０００５】
そして、本体２３の端部に設けた排気口２４を有する吸気ユニット２５から開口部２２、２２ａ及び空間材１６を通して吸気し、表布１５上に就寝する人体からの熱気および湿気を寝具外に排出するものである（例えば、特許文献１参照）。
【０００６】
【特許文献１】特開２００２−２０４７３５号公報
【発明の開示】
【発明が解決しようとする課題】
【０００７】
しかしながら、上記の従来技術のものは、就寝する人体近傍の空気を吸い込むため、湿気を吸い込むだけでなく体表面の空気を吸い込み、そのため体表面が冷却されるものである。したがって、腰痛を持っている等、身体を冷やしたくない人に対しては使用できないものであった。
【０００８】
また、夏場等の暑い時期にはタオルケット等の薄い寝具を掛けるため空気が流通し易く有効であるが、春秋等の時期には厚手のふとんを掛けるため、寝汗を吸引しようと吸気ユニットを作動させても、ふとんが空気流通の抵抗となり、空気の流通ができなく効果が発揮できないという問題があった。
【課題を解決するための手段】
【０００９】
本発明は上記の問題を解決するためになされたものであり、緩衝材と、この緩衝材の上部に設けた空気流通層を構成する空間材と、この空間材の上部に設けた吸湿層を構成する吸湿材と、これら全体を覆う表布と、この表布の一方の側面に設けた空気取り入れ口と他方の側面に設けた排気口と、前記空間材に空気を流通させるための吸気ユニットとを備え、前記表布を浸透して吸湿材にて吸湿する湿気を、吸気ユニットで空気取り入れ口より吸気し空間材を流通して排気口より排気する空気により放湿するものである。
【発明の効果】
【００１０】
本発明の寝具は、上記のように構成したことにより、人体に直接空気を当てることなく、人体から発する汗等の湿気を寝具内の吸湿材に吸湿するとともに、吸湿した湿気を室内に放出することにより、人体の表面温度を下げることを防止できるため、腰痛を持っている等、身体を冷やしたくない人でも使用することができる。
【００１１】
また、夏場だけでなく、春秋等の時期でも効果的に寝汗等を吸収して室内に放出することができるため良好な寝床内環境を得ることができる。
【発明を実施するための最良の形態】
【００１２】
以下、本発明の一実施例を図１、図２を参照して説明する。図１は本発明の一実施例を示す寝具の縦断面図、図２は同じく斜視図である。
【００１３】
図において、１は本体であり、マットレス状あるいはふとん状のもので、以下に示す部材構成から成り立っている。
【００１４】
２は表布で、人体に直接接触する部分であり、湿気は浸透するが空気は通過しにくい気密を有する布製のものである。
【００１５】
３は吸湿層を構成する吸湿材で、粒状シリカゲルで構成されていて優れた吸湿性と放湿性を持っているものである。
【００１６】
４は空間材で、プラスチック製の糸を多数編み込んで構成してあり、これにより連通した空気層が形成された空気流通層を構成し、この上に人体が仰臥しても連通する空気層がつぶれてしまうことがないような強度を有するものである。
【００１７】
５は温熱電位ユニットで、温熱治療用の発熱体と電位治療用の導子電極をいずれも電線状の発熱線（図示せず）と電位線（図示せず）とし、それらの線を通気性のある部材に布線し固定したものである。
【００１８】
６は寝具として使用可能な緩衝材であり、この緩衝材６の上に温熱電位ユニット５を載せ、その上に空間材４を載せ、さらにその上に吸湿材３を載せ、これら全体を表布２で覆っている。
【００１９】
７は空気取り入れ口で、本体１の一方の側面である就寝状態での頭方向の側面の表布２に設けられていて、本体１外の空気を空間材４の連通する空気層に吸気するように空間材４が接する部分に設けられている。
【００２０】
８は吸気ユニットで、ファンモータが内蔵されていてこのファンモータに通電することにより空気を吸気することができるものである。そしてこの吸気ユニット８は本体１の就寝状態での足元部分の緩衝材６と空間材４の一部をカットした部分に設けられていて、空間材４の連通した空気層を介し、空気取り入れ口７からファンモータの動作により吸気し、本体１の側面の一部に設けられた後記する排気口１２から本体１外に排気するものである。なお、吸気ユニット８は本体１の内部に設けず、本体１外に設けて通風可能なホース等で接続して空間材４の連通した空気層の空気を吸気して排気するようにしても良い。そうすれば本体１に仰臥したとき気になる騒音や振動に対し有利に構成することができる。
【００２１】
９は空気の流れを表していて、吸気ユニット８のファンモータを動作させたときの空気取り入れ口７から吸気した空気が吸湿材３に接触しながら空間材４の連通した空気層を流れる空気を表している。
【００２２】
１０は吸湿材３の中を浸透する湿気を表していて、本体１の上に仰臥した人体からの湿気が表布２を浸透し吸湿材３に吸湿される。そして、吸湿された湿気は空間材４に流れる空気に吸湿材３が接触して放湿するため湿気１０は空気９に運ばれ本体１外に放湿される。
【００２３】
１１は吸気ユニット８から本体１外に放出される空気の流れを表している。
【００２４】
１２は排気口で、本体１の他方の側面である就寝状態での足元方向の側面の表布２に設けられていて、空間材４の連通する空気層の空気を排気するように空間材４が接する部分に設けられている。
【００２５】
１３は本体１内に吸気される空気を表している。１４は本体１の上に仰臥する人体である。
【００２６】
次に、以上の構成による作用を説明する。
【００２７】
本体１に内蔵された温熱電位ユニット５により、温熱治療の効果を得る場合は、温熱電位ユニット５の温熱治療用の発熱線に通電することにより、寝具を適度な温度に加熱することにより、本体１に仰臥した人体１４を温め、血行の促進や、疲労の回復、筋肉疲労の回復、神経痛を和らげる、胃腸の働きを活発にする等の効果・効能を得ることができる。
【００２８】
また、電位治療の効果を得る場合は、温熱電位ユニット５電位線にマイナスの高電圧を印可することにより、本体１に仰臥した人体１４にマイナス電位が印可されることにより、体内バランスが良くなり、慢性便秘や、頭痛、不眠症、肩こり等に効果・効能を得ることができる。
【００２９】
そして、本体１に仰臥した人体１４から発する汗等の湿気は、表布２を浸透して吸湿材３に吸湿され、この吸湿された湿気１０は、吸気ユニット８の動作により空間材４内を流れる空気９と接触することにより、湿気１０は吸湿材３から蒸発して空気９内に放湿され、放出される空気の流れ１１となり排気口１２より本体１外に放出される。したがって、吸湿材３の吸湿能力を回復させることができる。
【００３０】
これにより、表布２を通して吸湿材３に人体１４から発する湿気１０を吸湿することができ、かつ、吸湿材３に吸湿された湿気１０は、吸湿材３に接触しながら空間材４の連通した空気層を流れる空気により吸湿材３に溜まった湿気を蒸発させ、空気に湿気を含ませることで、本体１外に湿気を放出することができるため、夏場だけでなく、春秋等の時期でも寝汗等を吸収し室内に放出することができ良好な寝床内環境を得ることができる。
【００３１】
また、本体１の表布２部より直接空気を吸引しないことにより、本体１に仰臥した人体１４の体表面の温度を下げることを防止できるため、腰痛を持っている等、身体を冷やしたくない人でも使用することができる。
【図面の簡単な説明】
【００３２】
【図１】本発明の一実施例を示す寝具の縦断面図である。
【図２】同じく斜視図である。
【図３】従来例の斜視図である。
【図４】従来例の縦断面図である。
【符号の説明】
【００３３】
２  表布
３  吸湿材
４  空間材
６  緩衝材
７  空気取り入れ口
８  吸気ユニット
１２  排気口
【図１】
2005270262.tif 000003
【図２】
2005270262.tif 000004
【図３】
2005270262.tif 000005
【図４】
2005270262.tif 000006